(57)【要約】【課題】本発明は刃物包装箱を開示した。【解決手段】本発明には刃物包装箱が公開され、箱体と箱蓋を含み、前記箱体の中には上に開口した刃物チャンバが設置されており、前記刃物チャンバの中には推し装置が設置されており、前記刃物チャンバの右側内壁の中には保護装置が設置されており、前記刃物チャンバの後側内壁の中には調節装置が設置されており、本発明は結構が簡単で、操作が便利で、直接に刃物の鞘として使え、刃物を収納でき、使用しない時の安全性を高め、本装置は刃物の伸び出しの長さを自由に調整できるだけではなく、刃先の方向に沿って距離を細かく調整でき、保護クッションを使用すると指が怪我するのを防止でき、刃物のスライド回数を減少できる。【選択図】図1
2020168707.tif 000002
【特許請求の範囲】
【請求項１】
刃物包装箱であって、箱体と箱蓋を含み、前記箱体の中には上に開口した刃物チャンバが設置されており、前記刃物チャンバの中には推し装置が設置されており、前記刃物チャンバの右側内壁の中には保護装置が設置されており、前記刃物チャンバの後側内壁の中には調節装置が設置されており、前記推し装置は前記刃物チャンバの中にスライドできるように設置される刃物スタンドを含み、前記刃物スタンドの中には上に開口したスライドチャンバが左右に貫通して設置されており、前記スライドチャンバの下側の内壁の右側が下へ前記刃物スタンドを貫通しており、前記スライドチャンバの中には刃物がスライドできるように設置されており、前記刃物スタンドの下端には定位棒が固定的に連結され、前記刃物スタンドの下端と前記刃物チャンバの下側内壁との間にはリセット撥条が固定的に連結され、前記刃物チャンバの下側内壁の中には定位穴が連通し合って設置され、前記刃物チャンバの左側内壁の中には通槽が連通し合って設置されており、前記通槽の左側内壁の中には左に開口したスライダチャンバが連通し合って設置されており、前記通槽の中には推し棒がスライドできるように設置されており、前記推し棒の右端が前記刃物チャンバの中に伸びており、前記推し棒の上端が前記刃物スタンドと当接し、前記推し棒の左端には位置制限ブロックが固定的に連結され、前記推し棒にはスライダがスライドできるように連結され、前記スライダチャンバの左右両側内壁には九つの歯状ブロックが固定的に連結されている；前記スライダを推し、前記刃物スタンドによって前記刃物を連動させて前記刃物チャンバから伸び出し、前記歯状ブロックによって前記スライダを止め、前記刃物の伸び出す長さを変えられることを特徴とする刃物包装箱。
【請求項２】
前記調節装置は前記刃物チャンバの後側内壁の中に連通し合って設置される偏心輪チャンバを含み、前記偏心輪チャンバの後側内壁の中には連結軸チャンバが連通し合って設置されており、前記連結軸チャンバの後側内壁の中には後に開口した回転輪チャンバが連通し合って設置されており、前記回転輪チャンバの中には回転輪が回転できるように設置されており、前記回転輪の中には前に開口した連結ブロックチャンバが設置されており、前記連結ブロックチャンバは前記回転輪の回転中心に位置しなく、前記連結ブロックチャンバの中には連結ブロックがスライドできるように設置されており、前記連結ブロックは前記回転輪チャンバの前側内壁と磁性により接続されることができ、前記連結ブロックの後端には手動棒が固定的に連結され、前記手動棒の後端が外部に伸び出し、前記連結ブロックの後端と前記連結ブロックチャンバの後側内壁との間には圧縮撥条が固定的に連結され、前記回転輪の前端の回転中心には連結軸が固定的に連結され、前記連結軸の前端には偏心輪が固定的に連結され、前記偏心輪の前端には偏心軸が回転できるように連結され、前記偏心軸は前記偏心輪の回転中心に位置しなく、前記偏心軸の前端が前記刃物と回転できるように連結されている；前記手動棒を回して、偏心伝動によって前記刃物の上下左右の位置を細かく調整できることを特徴とする請求項１に記載の刃物包装箱。
【請求項３】
前記保護装置は前記刃物チャンバの右側内壁の中に連通して設置される保護クッションチャンバを含み、前記保護クッションチャンバが右且つ上に開口し、前記保護クッションチャンバの中には保護クッションがスライドできるように設置されており、前記保護クッションの下端と前記保護クッションチャンバの下側内壁との間には伸び撥条が固定的に連結され、前記保護クッションの中には挟みチャンバが左に開口して設置されており、前記挟みチャンバの中には台形ブロックが前後に対称的にスライドできるように設置されており、前記台形ブロックのうち中心から離れている一端と前記挟みチャンバの前後内壁との間には挟み撥条が固定的に連結され、前記保護クッションの中にはガイド軸が固定的に連結され、前記保護クッションの前後両側内壁の中にはガイド槽が対称的に連通して設置されており、前記ガイド軸の前後両端がそれぞれ前後両側の前記ガイド槽の中に伸びている；前記保護クッションは前記ガイド軸の周りを回転でき、前記挟み撥条の弾力によって前記台形ブロックが刃の需要のない部分を挟み、ぶつかりなどで刃が丸くなるのを避けることを特徴とする請求項１又は請求項２に記載の刃物包装箱。
【請求項４】
前記箱蓋の中には下に開口した蓋チャンバが設置されている；前記箱蓋の下端が前記刃物チャンバの中に伸びており、同時に前記刃物の切っ先を前記蓋チャンバの中に挿し込み、事故の発生を防止することを特徴とする請求項１又は請求項２又は請求項３に記載の刃物包装箱。
【発明の詳細な説明】
【技術分野】
【０００１】
本発明は製品包装分野を取り上げて、具体的には刃物包装箱である。
【背景技術】
【０００２】
安全のため、日用の刃物は柄と鞘があり、しかし刃物を鞘から抜き出した後、みねは完全に露出し、この時危険性があり、そのため人為的に刃の伸び出す長さを制御でき且つ調節できる刃物包装ボックスを設計する必要があり、本装置は直接的に刃物の鞘として使え、刃物を収納でき、自由に刃物の伸び出す長さを調整できるだけではなく、みねの方向を沿って距離を調整でき、使用する時指を傷つかせない。
【先行技術文献】
【特許文献】
【０００３】
【特許文献１】中国特許出願公開第109018628号明細書
【発明の概要】
【発明が解決しようとする課題】
【０００４】
本発明の解決すべきの技術問題は刃物包装箱を提供し、それは上記現有の技術の問題を解決する。
【課題を解決するための手段】
【０００５】
本発明における刃物包装箱は、箱体と箱蓋を含み、前記箱体の中には上に開口した刃物チャンバが設置されており、前記刃物チャンバの中には推し装置が設置されており、前記刃物チャンバの右側内壁の中には保護装置が設置されており、前記刃物チャンバの後側内壁の中には調節装置が設置されており、前記推し装置は前記刃物チャンバの中にスライドできるように設置される刃物スタンドを含み、前記刃物スタンドの中には上に開口したスライドチャンバが左右に貫通して設置されており、前記スライドチャンバの下側の内壁の右側が下へ前記刃物スタンドを貫通しており、前記スライドチャンバの中には刃物がスライドできるように設置されており、前記刃物スタンドの下端には定位棒が固定的に連結され、前記刃物スタンドの下端と前記刃物チャンバの下側内壁との間にはリセット撥条が固定的に連結され、前記刃物チャンバの下側内壁の中には定位穴が連通し合って設置され、前記刃物チャンバの左側内壁の中には通槽が連通し合って設置されており、前記通槽の左側内壁の中には左に開口したスライダチャンバが連通し合って設置されており、前記通槽の中には推し棒がスライドできるように設置されており、前記推し棒の右端が前記刃物チャンバの中に伸びており、前記推し棒の上端が前記刃物スタンドと当接し、前記推し棒の左端には位置制限ブロックが固定的に連結され、前記推し棒にはスライダがスライドできるように連結され、前記スライダチャンバの左右両側内壁には九つの歯状ブロックが固定的に連結されている；前記スライダを推し、前記刃物スタンドによって前記刃物を連動させて前記刃物チャンバから伸び出し、前記歯状ブロックによって前記スライダを止め、前記刃物の伸び出す長さを変えられる。
【０００６】
更なる技術方案、前記調節装置は前記刃物チャンバの後側内壁の中に連通し合って設置される偏心輪チャンバを含み、前記偏心輪チャンバの後側内壁の中には連結軸チャンバが連通し合って設置されており、前記連結軸チャンバの後側内壁の中には後に開口した回転輪チャンバが連通し合って設置されており、前記回転輪チャンバの中には回転輪が回転できるように設置されており、前記回転輪の中には前に開口した連結ブロックチャンバが設置されており、前記連結ブロックチャンバは前記回転輪の回転中心に位置しなく、前記連結ブロックチャンバの中には連結ブロックがスライドできるように設置されており、前記連結ブロックは前記回転輪チャンバの前側内壁と磁性により接続されることができ、前記連結ブロックの後端には手動棒が固定的に連結され、前記手動棒の後端が外部に伸び出し、前記連結ブロックの後端と前記連結ブロックチャンバの後側内壁との間には圧縮撥条が固定的に連結され、前記回転輪の前端の回転中心には連結軸が固定的に連結され、前記連結軸の前端には偏心輪が固定的に連結され、前記偏心輪の前端には偏心軸が回転できるように連結され、前記偏心軸は前記偏心輪の回転中心に位置しなく、前記偏心軸の前端が前記刃物と回転できるように連結されている；前記手動棒を回して、偏心伝動によって前記刃物の上下左右の位置を細かく調整できる。
【０００７】
更なる技術方案、前記保護装置は前記刃物チャンバの右側内壁の中に連通して設置される保護クッションチャンバを含み、前記保護クッションチャンバが右且つ上に開口し、前記保護クッションチャンバの中には保護クッションがスライドできるように設置されており、前記保護クッションの下端と前記保護クッションチャンバの下側内壁との間には伸び撥条が固定的に連結され、前記保護クッションの中には挟みチャンバが左に開口して設置されており、前記挟みチャンバの中には台形ブロックが前後に対称的にスライドできるように設置されており、前記台形ブロックのうち中心から離れている一端と前記挟みチャンバの前後内壁との間には挟み撥条が固定的に連結され、前記保護クッションの中にはガイド軸が固定的に連結され、前記保護クッションの前後両側内壁の中にはガイド槽が対称的に連通して設置されており、前記ガイド軸の前後両端がそれぞれ前後両側の前記ガイド槽の中に伸びている；前記保護クッションは前記ガイド軸の周りを回転でき、前記挟み撥条の弾力によって前記台形ブロックが刃の需要のない部分を挟み、ぶつかりなどで刃が丸くなるのを避ける。
【０００８】
更なる技術方案、前記箱蓋の中には下に開口した蓋チャンバが設置されている；前記箱蓋の下端が前記刃物チャンバの中に伸びており、同時に前記刃物の切っ先を前記蓋チャンバの中に挿し込み、事故の発生を防止する。
【発明の効果】
【０００９】
本発明の有益な効果は下記の通りである：
【００１０】
本発明は結構が簡単で、操作が便利で、直接に刃物の鞘として使え、刃物を収納でき、使用しない時の安全性を高め、本装置は刃物の伸び出しの長さを自由に調整できるだけではなく、刃先の方向に沿って距離を細かく調整でき、保護クッションを使用すると指が怪我するのを防止でき、刃物のスライド回数を減少できる。
【図面の簡単な説明】
【００１１】
【図１】図１は本発明の刃物包装箱の内部構成模式図であり；
【図２】図２は図１の「Ａ−Ａ」の方向の構成模式図であり；
【図３】図３は図１の「Ｂ−Ｂ」の方向の構成模式図であり；
【図４】図４は図１の「Ｃ−Ｃ」の方向の構成模式図であり；
【図５】図５は図１の「Ｄ−Ｄ」の方向の構成模式図であり；
【図６】図６は図４の「Ｅ−Ｅ」の方向の構成模式図である。
【発明を実施するための形態】
【００１２】
以下は図１−６について本発明にを詳しく説明し、その中、便利に叙述するように、現在は後文に出る方位を下記の通りに規定する：後文に出る上下左右前後方向は図１本体の投影関係の上下左右前後方向と一致する。
【００１３】
図１−６を参考して、本発明における刃物包装箱は、箱体１１と箱蓋２８を含み、前記箱体１１の中には上に開口した刃物チャンバ３０が設置されており、前記刃物チャンバ３０の中には推し装置１００が設置されており、前記刃物チャンバ３０の右側内壁の中には保護装置１０２が設置されており、前記刃物チャンバ３０の後側内壁の中には調節装置１０１が設置されており、前記推し装置１００は前記刃物チャンバ３０の中にスライドできるように設置される刃物スタンド１６を含み、前記刃物スタンド１６の中には上に開口したスライドチャンバ２３が左右に貫通して設置されており、前記スライドチャンバ２３の下側の内壁の右側が下へ前記刃物スタンド１６を貫通しており、前記スライドチャンバ２３の中には刃物２５がスライドできるように設置されており、前記刃物スタンド１６の下端には定位棒１７が固定的に連結され、前記刃物スタンド１６の下端と前記刃物チャンバ３０の下側内壁との間にはリセット撥条１９が固定的に連結され、前記刃物チャンバ３０の下側内壁の中には定位穴１８が連通し合って設置され、前記刃物チャンバ３０の左側内壁の中には通槽２６が連通し合って設置されており、前記通槽２６の左側内壁の中には左に開口したスライダチャンバ２７が連通し合って設置されており、前記通槽２６の中には推し棒２０がスライドできるように設置されており、前記推し棒２０の右端が前記刃物チャンバ３０の中に伸びており、前記推し棒２０の上端が前記刃物スタンド１６と当接し、前記推し棒２０の左端には位置制限ブロック２１が固定的に連結され、前記推し棒２０にはスライダ２２がスライドできるように連結され、前記スライダチャンバ２７の左右両側内壁には九つの歯状ブロック３３が固定的に連結されている；前記スライダ２２を推し、前記刃物スタンド１６によって前記刃物２５を連動させて前記刃物チャンバ３０から伸び出し、前記歯状ブロック３３によって前記スライダ２２を止め、前記刃物２５の伸び出す長さを変えられる。
【００１４】
有益なように、前記調節装置１０１は前記刃物チャンバ３０の後側内壁の中に連通し合って設置される偏心輪チャンバ３４を含み、前記偏心輪チャンバ３４の後側内壁の中には連結軸チャンバ３５が連通し合って設置されており、前記連結軸チャンバ３５の後側内壁の中には後に開口した回転輪チャンバ３６が連通し合って設置されており、前記回転輪チャンバ３６の中には回転輪３８が回転できるように設置されており、前記回転輪３８の中には前に開口した連結ブロックチャンバ４０が設置されており、前記連結ブロックチャンバ４０は前記回転輪３８の回転中心に位置しなく、前記連結ブロックチャンバ４０の中には連結ブロック４１がスライドできるように設置されており、前記連結ブロック４１は前記回転輪チャンバ３６の前側内壁と磁性により接続されることができ、前記連結ブロック４１の後端には手動棒４２が固定的に連結され、前記手動棒４２の後端が外部に伸び出し、前記連結ブロック４１の後端と前記連結ブロックチャンバ４０の後側内壁との間には圧縮撥条４３が固定的に連結され、前記回転輪３８の前端の回転中心には連結軸３９が固定的に連結され、前記連結軸３９の前端には偏心輪３７が固定的に連結され、前記偏心輪３７の前端には偏心軸２４が回転できるように連結され、前記偏心軸２４は前記偏心輪３７の回転中心に位置しなく、前記偏心軸２４の前端が前記刃物２５と回転できるように連結されている；前記手動棒４２を回して、偏心伝動によって前記刃物２５の上下左右の位置を細かく調整できる。
【００１５】
有益なように、前記保護装置１０２は前記刃物チャンバ３０の右側内壁の中に連通して設置される保護クッションチャンバ１３を含み、前記保護クッションチャンバ１３が右且つ上に開口し、前記保護クッションチャンバ１３の中には保護クッション３２がスライドできるように設置されており、前記保護クッション３２の下端と前記保護クッションチャンバ１３の下側内壁との間には伸び撥条１４が固定的に連結され、前記保護クッション３２の中には挟みチャンバ３１が左に開口して設置されており、前記挟みチャンバ３１の中には台形ブロック４４が前後に対称的にスライドできるように設置されており、前記台形ブロック４４のうち中心から離れている一端と前記挟みチャンバ３１の前後内壁との間には挟み撥条４５が固定的に連結され、前記保護クッション３２の中にはガイド軸１２が固定的に連結され、前記保護クッション１３の前後両側内壁の中にはガイド槽１５が対称的に連通して設置されており、前記ガイド軸１２の前後両端がそれぞれ前後両側の前記ガイド槽１５の中に伸びている；前記保護クッション３２は前記ガイド軸１２の周りを回転でき、前記挟み撥条４５の弾力によって前記台形ブロック４４が刃の需要のない部分を挟み、ぶつかりなどで刃が丸くなるのを避ける。
【００１６】
有益なように、前記箱蓋２８の中には下に開口した蓋チャンバ２９が設置されている；前記箱蓋２８の下端が前記刃物チャンバ３０の中に伸びており、同時に前記刃物２５の切っ先を前記蓋チャンバ２９の中に挿し込み、事故の発生を防止する。
【００１７】
使用する時、箱蓋２８を刃物チャンバ３０の中から抜き出し、スライダ２２を左へスライドして歯状ブロック３３から離脱させ、この時スライダ２２を上へスライドさせてスライド棒２０を上へスライド連動させ、それにより刃物スタンド１６を推して上昇させ、それにより刃物２５を上昇連動させ、同時に調節装置１０１を上昇連動させ、刃物２５を需要の長さまで伸び出した後、スライダ２２を右へスライドさせ、それにより歯状ブロック３３によってスライダ２２を固定し、それにより刃物２５と刃物スタンド１６がリセット撥条１９の弾力によって下へスライドして跳ね返すことを防止し、異なる位置の歯状ブロック３３によってスライダ２２を固定でき、刃物２５の初期において伸び出す長さを変えられ、この時後へ手動棒４２を引き動かし、連結ブロック４１を回転輪チャンバ３６の内壁から離脱させて圧縮撥条４３を圧縮し、手動棒４２を回転し、それにより回転輪３８を回転連動させ、それにより連結軸３９によって偏心輪３７を回転連動させ、それにより偏心軸２４によって刃物２５を細かくスライド連動させ、刃物２５の位置を調整した後手動棒４２を放し、圧縮撥条４３の弾力及び連結ブロック４１と回転輪チャンバ３６との間の磁性的接続によって連結ブロック４１を押さえつけて回転輪３８の回転を防止し、この時保護クッション３２を上へ引き動かして回転させ、挟み撥条４５の弾力によって、台形ブロック４４が刃の需要のない部分を挟み、この時箱体１１と保護クッション３２を握りしめたら刃物２５を使用でき、刃物２５の露出する長さを調整する時、保護クッション３２をスライドすれば刃物２５の刃を伸び出す又は挟むことができ、刃物２５をスライドする必要がなく、刃物を収納する時、スライダ２２を左へスライドし、リセット撥条１９の弾力によって刃物スタンド１６と刃物２５とを下へスライド連動させ、定位棒１７と定位穴１８によって定位し、刃物チャンバ３０の内壁とぶつからないように刃物スタンド１６と刃物２５との偏移を防止する。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020168707.tif 000003
【図２】
2020168707.tif 000004
【図３】
2020168707.tif 000005
【図４】
2020168707.tif 000006
【図５】
2020168707.tif 000007
【図６】
2020168707.tif 000008
【手続補正書】
【提出日】令和1年8月14日(2019.8.14)
【手続補正１】
【補正対象書類名】特許請求の範囲
【補正対象項目名】全文
【補正方法】変更
【補正の内容】
【特許請求の範囲】
【請求項１】
刃物包装箱であって、箱体と箱蓋を含み、前記箱体の中には上に開口した刃物チャンバが設置されており、前記刃物チャンバの中には推し装置が設置されており、前記刃物チャンバの右側内壁の中には保護装置が設置されており、前記刃物チャンバの後側内壁の中には調節装置が設置されており、前記推し装置は前記刃物チャンバの中にスライドできるように設置される刃物スタンドを含み、前記刃物スタンドの中には上に開口したスライドチャンバが左右に貫通して設置されており、前記スライドチャンバの下側の内壁の右側が下へ前記刃物スタンドを貫通しており、前記スライドチャンバの中には刃物がスライドできるように設置されており、前記刃物スタンドの下端には定位棒が固定的に連結され、前記刃物スタンドの下端と前記刃物チャンバの下側内壁との間にはリセット撥条が固定的に連結され、前記刃物チャンバの下側内壁の中には定位穴が連通し合って設置され、前記刃物チャンバの左側内壁の中には通槽が連通し合って設置されており、前記通槽の左側内壁の中には左に開口したスライダチャンバが連通し合って設置されており、前記通槽の中には推し棒がスライドできるように設置されており、前記推し棒の右端が前記刃物チャンバの中に伸びており、前記推し棒の上端が前記刃物スタンドと当接し、前記推し棒の左端には位置制限ブロックが固定的に連結され、前記推し棒にはスライダがスライドできるように連結され、前記スライダチャンバの左右両側内壁には九つの歯状ブロックが固定的に連結されている；前記スライダを推し、前記刃物スタンドによって前記刃物を連動させて前記刃物チャンバから伸び出し、前記歯状ブロックによって前記スライダを止め、前記刃物の伸び出す長さを変えることができ、
前記調節装置は前記刃物チャンバの後側内壁の中に連通し合って設置される偏心輪チャンバを含み、前記偏心輪チャンバの後側内壁の中には連結軸チャンバが連通し合って設置されており、前記連結軸チャンバの後側内壁の中には後に開口した回転輪チャンバが連通し合って設置されており、前記回転輪チャンバの中には回転輪が回転できるように設置されており、前記回転輪の中には前に開口した連結ブロックチャンバが設置されており、前記連結ブロックチャンバは前記回転輪の回転中心に位置しなく、前記連結ブロックチャンバの中には連結ブロックがスライドできるように設置されており、前記連結ブロックは前記回転輪チャンバの前側内壁と磁性により接続されることができ、前記連結ブロックの後端には手動棒が固定的に連結され、前記手動棒の後端が外部に伸び出し、前記連結ブロックの後端と前記連結ブロックチャンバの後側内壁との間には圧縮撥条が固定的に連結され、前記回転輪の前端の回転中心には連結軸が固定的に連結され、前記連結軸の前端には偏心輪が固定的に連結され、前記偏心輪の前端には偏心軸が回転できるように連結され、前記偏心軸は前記偏心輪の回転中心に位置しなく、前記偏心軸の前端が前記刃物と回転できるように連結されており、
前記手動棒を回して、偏心伝動によって前記刃物の上下左右の位置を細かく調整でき、
前記保護装置は前記刃物チャンバの右側内壁の中に連通して設置される保護クッションチャンバを含み、前記保護クッションチャンバが右且つ上に開口し、前記保護クッションチャンバの中には保護クッションがスライドできるように設置されており、前記保護クッションの下端と前記保護クッションチャンバの下側内壁との間には伸び撥条が固定的に連結され、前記保護クッションの中には挟みチャンバが左に開口して設置されており、前記挟みチャンバの中には台形ブロックが前後に対称的にスライドできるように設置されており、前記台形ブロックのうち中心から離れている一端と前記挟みチャンバの前後内壁との間には挟み撥条が固定的に連結され、前記保護クッションの中にはガイド軸が固定的に連結され、前記保護クッションの前後両側内壁の中にはガイド槽が対称的に連通して設置されており、前記ガイド軸の前後両端がそれぞれ前後両側の前記ガイド槽の中に伸びており、
前記保護クッションは前記ガイド軸の周りを回転でき、前記挟み撥条の弾力によって前記台形ブロックが刃の需要のない部分を挟み、ぶつかりなどで刃が丸くなるのを避けることができ、
前記箱蓋の中には下に開口した蓋チャンバが設置されており、
前記箱蓋の下端が前記刃物チャンバの中に伸びており、同時に前記刃物の切っ先を前記蓋チャンバの中に挿し込み、事故の発生を防止することを特徴とする刃物包装箱。